(57)【要約】【課題】  視覚等により直接その特徴的な効果を確認できるメガネ用アクセサリを提供する。【解決手段】  紫外線により可逆的に変色可能であるフォトクロミック成分が封入されたマイクロカプセルを含有する担体を含んだウレタン−シリコン組成物を含んだメガネ用アクセサリが提供される。好適には、担体としてウレタン−シリコン組成物を用いる。より好ましくは、シリコンとしてはＳＰＲシリコンを用いる。変色前後の色は、フォトクロミック成分自体の発光時の色、フォトクロミック成分に添加される顔料等の色素により調整することができる。 【選択図】図１
2005148552.tif 000002
【特許請求の範囲】
【請求項１】
紫外線により可逆的に変色可能であるフォトクロミック成分が封入されたマイクロカプセルを含有する担体を含んだメガネ用アクセサリ。
【請求項２】
前記担体は、ウレタン−シリコン組成物である、請求項１記載のメガネ用アクセサリ。
【請求項３】
前記マイクロカプセル内には、フォトクロミック成分とともに色素が封入されている、請求項１記載のメガネ用アクセサリ。
【請求項４】
前記シリコンとして、ＳＰＲシリコンが用いられている、請求項２記載のメガネ用アクセサリ。
【請求項５】
紫外線により可逆的に変色可能であるフォトクロミック成分が封入されたマイクロカプセルを含有するウレタン−シリコン組成物を含んだコード本体と、メガネと係合可能に構成された係合部と、を備えたメガネ用チェーン。
【発明の詳細な説明】
【技術分野】
【０００１】
本発明は、紫外線（例えば太陽光等）により可逆的に変色するメガネ用アクセサリに関し、主に、フォトクロミック成分が封入されたマイクロカプセルを含有する担体、例えばウレタン−シリコン組成物、を含んだメガネ用アクセサリに関する。
【背景技術】
【０００２】
従来、メガネ用のアクセサリとしては、ストラップやメガネチェーン等が知られている。
このようなアクセサリは、ユーザの好みに応じて身につけるものであり、興趣に富むものが求められている。
【０００３】
例えば、メガネ用アクセサリにトルマリン等を含有させて、マイナスイオンを発生させるというものが知られている。
トルマリンを含んだメガネ用アクセサリによるマイナスイオンの効果は、メガネ用アクセサリを装着してすぐに実感できるというタイプのものではなく、一般には、長期にわたって装着することによる効果を得ることが期待されるものである。
【発明の開示】
【発明が解決しようとする課題】
【０００４】
しかしながら、マイナスイオン等の効果には個人差があり、かつ、長期にわたって装着しなければその効果を実感することは難しい。一方で、装着してすぐにその特徴を実感できるタイプの製品を求めるユーザも多く、特に、視覚、触覚、嗅覚等により直接その特徴的な効果を確認できる特徴を備えたメガネ用アクセサリを提供することが求められている。
本発明は、このような課題を解決することをその目的とする。
【課題を解決するための手段】
【０００５】
本発明によれば、紫外線により可逆的に変色可能であるフォトクロミック成分が封入されたマイクロカプセルを含有する担体を含んだメガネ用アクセサリが提供される。
【０００６】
好適には、前記担体は、ウレタン−シリコン組成物とする。
ウレタンとシリコンとの配合比は、任意に決定してよいが、ウレタンが多すぎる、ざらざらとした触感が強くなり、メガネ用アクセサリのユーザが不快に感じるおそれがでることもある。一方、シリコン成分を多くすると、触感が向上する傾向がある。なお、シリコン成分が多すぎると、耐熱性に難が生じやすくなる傾向があるので、両者を勘案して配合比を決定することが好ましい。
【発明の効果】
【０００７】
本発明に係るメガネ用アクセサリにおいては、太陽光等により紫外線が照射されると、その色が変わるので、ユーザの興趣を高めることができる。また、可逆的に変色するので、色の変化を繰り返し実感することができる。
さらには、紫外線の照射量により色が変わるので、紫外線の量を概略的に知ることができるという効果も得られる。
【発明を実施するための最良の形態】
【０００８】
図１に、本発明に係るメガネ用アクセサリの一形態であるメガネチェーンにおける、マイクロカプセルを含有したウレタン−シリコン組成物の微細構造の説明図を示す。
【０００９】
図１において、１は、マイクロカプセルの担体であるウレタン−シリコン組成物、２はフォトクロミック成分が封入されたマイクロカプセル、３はマイクロカプセル内に封入された、紫外線により可逆的に変色可能であるフォトクロミック成分である。
【００１０】
なお、本発明において用いられるフォトクロミック成分には特に限定はないが、紫外線による変色を日常生活において確認可能とするために、好適には、屋内等の紫外線照射量が少ない場所ではフォトクロミズム現象（紫外線等によって変色が生じる現象）が発生せず、屋外においてはフォトクロミズム現象が生じるものであることが好ましい。
変色が生じる紫外線量は、フォトクロミック成分の組成により適宜設定することができる。例えば、炎天下等で変色するようにしてもよいが、ＵＶカットクリーム等を使用することが好ましいとされる紫外線量において変色が生じるようにすることで、スキンケアの一助として、メガネ用アクセサリを使用することも可能である。
以下、フォトクロミック成分の種類を変えて、フォトクロミック成分が封入されたマイクロカプセルを含有したウレタン−シリコン組成物を以下のように製造した。
【００１１】
[担体の成分]
ウレタン−シリコン組成物に関しては、その組成比は適宜設定することができる。これらはフォトクロミック成分の変色現象に直接関わるものではないからである。また、本実施形態では、シリコンとして、ＳＰＲシリコン（植物性繊維）を用いた。
ウレタンを多くすると耐熱性が向上し、一方、シリコンを多くすると、触感が向上する傾向があることから、本実施形態では、図１で参照符号１にて示されるマイクロカプセルの担体において、ウレタンの配合比を４０wt％、シリコンの配合比を６０wt％配合比とした。なお、この配合比は、目的に応じて適宜変更することもできる。
【００１２】
[フォトクロミックの組成]
フォトクロミック成分としては、製品化したときに変色が確認できる程度に明瞭に変色するものであって、後述するマイクロカプセルの製造に用いることができるものであれば、公知のいずれのものを用いてもよい。
例えば、株式会社記録素材総合研究所製のサニーカラーシリーズを用いることができる。
【００１３】
この例では、青色に発色するフォトクロミック成分として同社のサニーカラー＃１を用い、これを後述するマイクロカプセルの製造工程においてマイクロカプセル内に封入し、更にウレタン−シリコン混合物に分散混合して、フォトクロミック成分が封入されたマイクロカプセルを含有するウレタン−シリコン混合物の試験例１を得た。
同様に、黄色に発色するフォトクロミック成分として同社のサニーカラ−＃４、ピンク色に発色するフォトクロミック成分として同社のサニーカラ−＃６をそれぞれ用いて、上述のウレタン−シリコン混合物の試験例２，３をそれぞれ得た。
また、上記例に加えて、アゾ系の赤顔料をサニーカラー＃４と同重量で混合したものをフォトクロミック成分とした試験例４、サニーカラ−＃１にアゾ系黄色顔料を同重量で混合したものをフォトクロミック成分とした試験例５をそれぞれ。
【００１４】
[マイクロカプセルの製造工程]
次に、マイクロカプセルの製造工程を示す。
マイクロカプセルの製造は、周知の方法で行うことができる。
本実施形態では、乳化安定性を有する分散媒中に芯物質、この実施形態では上述のフォトクロミック成分、を滴状として分散させて撹拌した。フォトクロミック成分と分散媒とを含んだ乳化分散液を撹拌し、カプセル膜形成処理を行うことで、カプセル膜が形成され、フォトクロミック成分が封入されたマイクロカプセルが形成される。
【００１５】
カプセル膜の形成は、分散媒中で形成された膜物質を滴界面に対して吸着する手法、芯物質中で形成された膜物質が分散媒介面に集合させて膜を形成する手法、新物質、分散媒のそれぞれに添加された物質を界面で反応させて膜を作成する手法等が知られており、適宜周知の手法を用いることができる。
【００１６】
本実施形態においては、分散媒中で形成された膜物質を滴界面に対して吸着させることで、マイクロカプセルを形成するようにした。マイクロカプセルの粒子直径は、数ミクロン〜数百ミクロンとすることができ、適宜調整可能である。本実施形態では、１０ミクロン程度のカプセルが形成されるように撹拌条件等を調整した。なお、マイクロカプセルの直径の調整等は、いずれも公知の技術により行うことができる。
【００１７】
上述のように撹拌を行い、カプセル膜の形成処理を行うことで、フォトクロミック成分がカプセル内に封入される。ただし、この時点では、カプセル膜の硬度は十分なものではないので、適切な硬化剤、この実施形態ではアミン硬化剤を加えてカプセルを硬化させた。
上述のように得られた、フォトクロミック成分が封入されたマイクロカプセルを、上述のウレタン−シリコン組成物に分散混合し、上記フォトクロミック成分にそれぞれ対応した試験例１〜５のウレタン−シリコン組成物を得た。
【００１８】
次に、上述のように得られた試験例１〜５に係るウレタン−シリコン組成物を成形してメガネ用アクセサリを製造した。
図２に、メガネ１０のテンプル７０に、本実施形態に係るメガネチェーン２０を取り付けた状態の説明図を示す。この図に示すように、この実施形態のメガネチェーン２０は、コード本体１２、メガネに取り付けるための係合機構１３、把持具１４、ループ１５を有する。上記試験例１〜５に係るウレタン−シリコン組成物のそれぞれについて、当該ウレタン−シリコン組成物を成形した本体コードを備えたメガネチェーンを製造した。
【００１９】
上述のように得られた各試験例１〜５に対応するメガネチェーン２０のそれぞれについて、紫外線が一定量以上照射される条件下、この実施形態では晴天時の屋外条件においてメガネチェーン２０が実際に変色するか否かを試験した。
以下に、試験例１〜５に係るメガネチェーン２０における太陽光線（紫外線）照射前の色と太陽光線（紫外線）照射後の色とを示す。
【００２０】
試験例  照射前の色  照射後の色
１      薄い青      濃い青
２      薄い黄      濃い黄
３      ピンク      濃いピンク
４      ピンク      濃い紫
５      黄色        緑
以上のように、本実施形態においては、試験例１〜５にそれぞれ対応したメガネチェーン２０のいずれにおいても、人間の目で明瞭に識別できる色の変化が生じることが確認された。なお、太陽光線に含まれる紫外線量が最も多い午前１０時〜午後２時においては、紫外線照射後約３秒〜５秒で色が変化した。
また、色が変化した後に、メガネチェーン２０を屋内に移動して紫外線照射量を減らしたところ、約６０秒〜７０秒で元の色に戻った。
【００２１】
なお、本実施形態では、上記５つのフォトクロミック成分例を示したが、照射前の色は、フォトクロミック成分に加える顔料の色とウレタン−シリコン組成物自体の色とで適宜調整することができる。照射後の色は、加えた顔料の色とフォトクロミック成分が発光する際の色との組み合わせやこれらの配合比と、ウレタン−シリコン混合物自体の色との組み合わせにより適宜調整することができる。
【００２２】
例えば、これら顔料とフォトクロミック成分の発色光との組み合わせで、紫外線照射前後の色をオレンジとブルー、グリーンから濃いグリーン、ピンクからブルーとなるように調整することも可能である。
【００２３】
以上のように、本発明に係る、フォトクロミック成分が封入されたマイクロカプセルを含有するウレタン−シリコン混合物を含んだメガネ用アクセサリにおいては、紫外線により可逆的変色することが確認された。
これにより、ユーザに対して、従来にない新たな興趣を提供することができる。
【図面の簡単な説明】
【００２４】
【図１】本実施形態に係るメガネチェーンの微細構造の説明図。
【図２】本実施形態に係るメガネチェーンをメガネのテンプルに取り付けた状態の説明図
【符号の説明】
【００２５】
１    担体
２    マイクロカプセル
３    フォトクロミック成分
１２    コード本体
１３    係合機構
１４    把持具
１５    ループ
２０    メガネチェーン
７０    テンプル
【図１】
2005148552.tif 000003
【図２】
2005148552.tif 000004